(57)【要約】【課題】高い精度で角度が制御可能なラケットのグリップ構造を提供する。【解決手段】高い精度で角度が制御可能なラケットのグリップ構造は、ラケットのグリップ構造１を掌及び指で把持する角度を制御する。ラケットのグリップ構造１の本体１０の外壁面には、少なくとも１つの第１の接触部１００と、第１の接触部１００と対をなすように設けられた少なくとも１つの第２の接触部１０１とが形成される。第１の接触部１００及び第２の接触部１０１は、把持するときに掌及び指に対して単点又は単列の圧迫感を発生させる。ラケットのグリップ構造１の外壁面には、第１の接触部１００と第２の接触部１０１との間に位置する少なくとも１つの第３の接触部１０２と、第１の接触部１００と第２の接触部１０１との間に位置する少なくとも１つの第４の接触部１０３とが形成される。【選択図】図２
0003231984.tif 000002
【実用新案登録請求の範囲】
【請求項１】
ラケットのグリップ構造を掌及び指で把持する角度を制御する、高い精度で角度が制御可能なラケットのグリップ構造であって、
前記ラケットのグリップ構造の本体の外壁面には、少なくとも１つの第１の接触部と、前記第１の接触部と対をなすように設けられた少なくとも１つの第２の接触部と、が形成され、
前記第１の接触部及び前記第２の接触部は、把持するときに掌及び指に対して単点又は単列の圧迫感を発生させる
ことを特徴とする、高い精度で角度が制御可能なラケットのグリップ構造。
【請求項２】
前記ラケットのグリップ構造の外壁面には、前記第１の接触部と前記第２の接触部との間に位置する少なくとも１つの第３の接触部と、前記第１の接触部と前記第２の接触部との間に位置する少なくとも１つの第４の接触部と、が形成され、
前記第３の接触部及び前記第４の接触部は、把持したときに掌及び指に対して単点又は単列の圧迫感を発生させる
ことを特徴とする請求項１に記載の高い精度で角度が制御可能なラケットのグリップ構造。
【請求項３】
前記第１の接触部、前記第２の接触部、前記第３の接触部、前記第４の接触部のそれぞれの間には、接続部が設けられる
ことを特徴とする請求項１又は２に記載の高い精度で角度が制御可能なラケットのグリップ構造。
【請求項４】
前記接続部は凹部、凸部又は平面である
ことを特徴とする請求項３に記載の高い精度で角度が制御可能なラケットのグリップ構造。
【請求項５】
前記第１の接触部及び前記第２の接触部は、突出構造、弧面構造又は平面構造である
ことを特徴とする請求項１に記載の高い精度で角度が制御可能なラケットのグリップ構造。
【請求項６】
前記平面構造の幅は０〜０．９ｃｍである
ことを特徴とする請求項５に記載の高い精度で角度が制御可能なラケットのグリップ構造。
【請求項７】
前記第３の接触部及び前記第４の接触部は、突出構造、弧面構造又は平面構造である
ことを特徴とする請求項２に記載の高い精度で角度が制御可能なラケットのグリップ構造。
【請求項８】
前記平面構造の幅は０〜０．９ｃｍである
ことを特徴とする請求項７に記載の高い精度で角度が制御可能なラケットのグリップ構造。
【請求項９】
前記第１の接触部及び前記第２の接触部は、前記本体の長手方向で単一又は複数に形成された突出構造である
ことを特徴とする請求項５に記載の高い精度で角度が制御可能なラケットのグリップ構造。
【請求項１０】
前記第３の接触部及び前記第４の接触部は、前記本体の長手方向で単一又は複数に形成された突出構造である
ことを特徴とする請求項７に記載の高い精度で角度が制御可能なラケットのグリップ構造。
【考案の詳細な説明】
【技術分野】
【０００１】
本考案は、ラケットのグリップ構造に関するものである。
【背景技術】
【０００２】
一般にバドミントンで使用されるラケットは、フレームと、フレームに接続されたグリップと、フレームに張られたガットと、から構成されてなる。グリップは、八角形状に形成されていることが一般的であり、グリップの各面が大きな面積の平面であるため、グリップの角度及び伝える力をコントロールすることは容易でなかった。そのため、シャトルを打つときの力、角度だけでなく、グリップの握り方も正確でなければならず、握り方が不正確であるか、手の力を押点に伝えることができない場合、最適な打球角度が得られず、ガット面をコントロールしてシャトルの頭部を正確に打つことができず、打球されたシャトルの強さに悪影響を与える上、最悪の場合、ラケットをスムーズに振ることはできなかった。
【考案の概要】
【課題を解決するための手段】
【０００３】
上記課題を解決するために、本考案の第１の形態によれば、ラケットのグリップ構造を掌及び指で把持する角度を制御する、高い精度で角度が制御可能なラケットのグリップ構造であって、前記ラケットのグリップ構造の本体の外壁面には、少なくとも１つの第１の接触部と、前記第１の接触部と対をなすように設けられた少なくとも１つの第２の接触部と、が形成され、前記第１の接触部及び前記第２の接触部は、把持するときに掌及び指に対して単点又は単列の圧迫感を発生させることを特徴とする、高い精度で角度が制御可能なラケットのグリップ構造を提供する。
【図面の簡単な説明】
【０００４】
【図１】本考案の第１実施形態に係る高い精度で角度が制御可能なラケットのグリップ構造を示す斜視図である。
【図２】図１の線Ａ−Ａに沿った断面図である。
【図３】本考案の第２実施形態に係る高い精度で角度が制御可能なラケットのグリップ構造を示す斜視図である。
【図４】図３の線Ｂ−Ｂに沿った断面図である。
【図５】本考案の第３実施形態に係る高い精度で角度が制御可能なラケットのグリップ構造を示す斜視図である。
【図６】図５の線Ｃ−Ｃに沿った断面図である。
【図７】本考案の第４実施形態に係る高い精度で角度が制御可能なラケットのグリップ構造を示す斜視図である。
【図８】図７の線Ｄ−Ｄに沿った断面図である。
【考案を実施するための形態】
【０００５】
以下、図面により、本考案を具体的に説明する。もっとも、本考案は、かかる図面により限定されるものではない。
【０００６】
（第１実施形態）
図１及び図２を参照する。図１は、本考案の第１実施形態に係る高い精度で角度が制御可能なラケットのグリップ構造を示す斜視図である。図２は、図１の線Ａ−Ａに沿った断面図である。図１及び図２に示すように、本考案の第１実施形態に係る高い精度で角度が制御可能なラケットのグリップ構造は、ラケットのグリップ構造１を掌及び指で把持する角度を制御することができる。ラケットのグリップ構造１の本体１０の外壁面には、少なくとも１つの第１の接触部１００と、第１の接触部１００と対をなすように設けられた少なくとも１つの第２の接触部１０１と、が形成される。第１の接触部１００及び第２の接触部１０１は、把持するときに掌及び指に対して単点又は単列の圧迫感を発生させる。
【０００７】
また、ラケットのグリップ構造１の外壁面には、第３の接触部１０２及び第４の接触部１０３が形成される。第３の接触部１０２は、第１の接触部１００と第２の接触部１０１との間に位置する。第４の接触部１０３は、第１の接触部１００と第２の接触部１０１との間に位置するとともに、第３の接触部１０２と対をなすように設けられる。第３の接触部１０２及び第４の接触部１０３は、把持するときに掌及び指に対して単点又は単列の圧迫感を発生させる。前述した第１の接触部１００、第２の接触部１０１、第３の接触部１０２、第４の接触部１０３のそれぞれの間には、接続部１０４が設けられる。接続部１０４は、凹部、凸部又は平面でもよい。
【０００８】
第１の接触部１００及び第２の接触部１０１は、弧面構造又は平面構造に形成されてもよく、第３の接触部１０２及び第４の接触部１０３は、弧面構造又は平面構造に形成されてもよく、平面構造の幅は０〜０．９ｃｍである。
【０００９】
図２を参照する。図２に示すように、ラケットのグリップ構造１の第１の接触部１００、第２の接触部１０１、第３の接触部１０２及び第４の接触部１０３は、平面構造に形成されてもよく、平面構造の幅は０〜０．９ｃｍである。第１の接触部１００、第２の接触部１０１、第３の接触部１０２、第４の接触部１０３の間にそれぞれ設けられた接続部１０４は平面でもよい。第１の接触部１００から第２の接触部１０１までの距離が第３の接触部１０２から第４の接触部１０３までの距離より長いため、第１の接触部１００及び第２の接触部１０１は、把持するときに掌及び指に対して単列の圧迫感を発生させる。そのため、ラケットのグリップの方向（角度）を正確に制御し、ラケットのフェイスを高精度で制御することができる。
【００１０】
（第２実施形態）
図３及び図４を参照する。図３は、本考案の第２実施形態に係る高い精度で角度が制御可能なラケットのグリップ構造を示す斜視図である。図４は、図３の線Ｂ−Ｂに沿った断面図である。図３及び図４に示すように、本考案の第２実施形態に係る高い精度で角度が制御可能なラケットのグリップ構造が含むラケットのグリップ構造１は、第１の接触部１００、第２の接触部１０１、第３の接触部１０２及び第４の接触部１０３が弧面状に形成されてもよいし、第１の接触部１００、第２の接触部１０１、第３の接触部１０２、第４の接触部１０３の間にそれぞれ設けられた接続部１０４が平面状に形成されてもよく、第１の接触部１００及び第２の接触部１０１の幅が０〜０．９ｃｍである。そのため、第１の接触部１００及び第２の接触部１０１は、把持するときに掌及び指に対して単列の圧迫感を発生させる。そのため、ラケットのグリップの方向（角度）を正確に制御し、ラケットのフェイスを高精度で制御することができる。
【００１１】
（第３実施形態）
図５及び図６を参照する。図５は、本考案の第３実施形態に係る高い精度で角度が制御可能なラケットのグリップ構造を示す斜視図である。図６は、図５の線Ｃ−Ｃに沿った断面図である。図５及び図６に示すように、本考案の第３実施形態に係る高い精度で角度が制御可能なラケットのグリップ構造が含むラケットのグリップ構造１は、第１の接触部１００、第２の接触部１０１、第３の接触部１０２及び第４の接触部１０３が弧面状に形成されてもよいし、第１の接触部１００、第２の接触部１０１、第３の接触部１０２、第４の接触部１０３の間にそれぞれ設けられた接続部１０４が凹部状に形成されてもよく、第１の接触部１００、第２の接触部１０１、第３の接触部１０２及び第４の接触部１０３の幅は０〜０．９ｃｍである。そのため、第１の接触部１００及び第２の接触部１０１は、把持するときに掌及び指に対して単列の圧迫感を発生させる。そのため、第１の接触部１００、第２の接触部１０１、第３の接触部１０２及び第４の接触部１０３により、ラケットのグリップの方向（角度）を正確に制御し、ラケットのフェイスを高精度で制御することができる。
【００１２】
（第４実施形態）
図７及び図８を参照する。図７は、本考案の第４実施形態に係る高い精度で角度が制御可能なラケットのグリップ構造を示す斜視図である。図８は、図７の線Ｄ−Ｄに沿った断面図である。図７及び図８に示すように、本考案の第４実施形態に係る高い精度で角度が制御可能なラケットのグリップ構造が含むラケットのグリップ構造１は、第１の接触部１００、第２の接触部１０１、第３の接触部１０２及び第４の接触部１０３が突出構造に形成されてもよく、第１の接触部１００、第２の接触部１０１、第３の接触部１０２、第４の接触部１０３の間にそれぞれ設けられた接続部１０４が平面構造に形成されてもよい。第１の接触部１００、第２の接触部１０１、第３の接触部１０２及び第４の接触部１０３の幅は０〜０．９ｃｍである。そのため、第１の接触部１００、第２の接触部１０１、第３の接触部１０２及び第４の接触部１０３には、本体１０の長手方向で複数の突出構造が形成され、これら突出構造の構造角度により、把持したときに掌及び指に対して複数の単点の圧迫感を発生させる。そのため、第１の接触部１００、第２の接触部１０１、第３の接触部１０２及び第４の接触部１０３により、ラケットのグリップの方向（角度）を正確に制御し、ラケットのフェイスを高精度で制御することができる。
【００１３】
なお、接触部の幅が０〜０．９ｃｍと記載しているが、これは０．９ｃｍ以下と解釈されたい。あるいは、接触部が存在することを前提として、接触部の幅が０．９ｃｍ以下と解釈されてもよい。あるいは、もし下限値を示すことが必要であれば、下限値としては０．１ｃｍとしてもよいし、あるいは、下限値として０．１ｃｍ〜０．５ｃｍの任意の値とし、例えば下限値として０．１ｃｍ、０．２ｃｍ、０．３ｃｍ、０．４ｃｍ、０．５ｃｍの数値を例示することができる。
【符号の説明】
【００１４】
１  ラケットのグリップ構造
１０  本体
１００  第１の接触部
１０１  第２の接触部
１０２  第３の接触部
１０３  第４の接触部
１０４  接続部
【図１】
0003231984.tif 000003
【図２】
0003231984.tif 000004
【図３】
0003231984.tif 000005
【図４】
0003231984.tif 000006
【図５】
0003231984.tif 000007
【図６】
0003231984.tif 000008
【図７】
0003231984.tif 000009
【図８】
0003231984.tif 000010
【手続補正書】
【提出日】令和3年3月9日(2021.3.9)
【手続補正１】
【補正対象書類名】実用新案登録請求の範囲
【補正対象項目名】全文
【補正方法】変更
【補正の内容】
【実用新案登録請求の範囲】
【請求項１】
高い精度で角度が制御可能なラケットのグリップ構造（１）であって、
前記ラケットのグリップ構造（１）の本体（１０）の外壁面は、
当該本体の外壁面の一つの面を構成する面としての第１の接触部（１００）と、
前記第１の接触部（１００）と対をなすように前記第１の接触部（１００）の対向面として構成された第２の接触部（１０１）と、
当該本体の外壁面において前記第１の接触部（１００）と前記第２の接触部（１０１）との間に位置し、当該本体の外壁面の一つの面を構成する面としての第３の接触部（１０２）と、
前記第３の接触部（１０２）と対をなすように前記第３の接触部（１０２）の対向面として構成された第４の接触部（１０４）と、を有し、
前記第１の接触部（１００）と前記第２の接触部（１０１）との距離は、前記第３の接触部（１０２）と前記第４の接触部（１０３）との距離よりも長い
ことを特徴とする高い精度で角度が制御可能なラケットのグリップ構造（１）。
【請求項２】
高い精度で角度が制御可能なラケットのグリップ構造（１）であって、
前記ラケットのグリップ構造（１）の本体（１０）の外壁面は、
当該本体の外壁面の一つの面を構成する面としての第１の接触部（１００）と、
前記第１の接触部（１００）と対をなすように前記第１の接触部（１００）の対向面として構成された第２の接触部（１０１）と、
当該本体の外壁面において前記第１の接触部（１００）と前記第２の接触部（１０１）との間に位置し、当該本体の外壁面の一つの面を構成する面としての第３の接触部（１０２）と、
前記第３の接触部（１０２）と対をなすように前記第３の接触部（１０２）の対向面として構成された第４の接触部（１０４）と、を有し、
さらに、当該本体の外壁面は、前記第１の接触部（１００）と前記第３の接触部（１０２）との間、前記第３の接触部（１０２）と前記第２の接触部（１０１）との間、前記第２の接触部（１０１）と前記第４の接触部（１０３）との間、および、前記第４の接触部（１０３）と前記第１の接触部（１００）との間に、それぞれ、当該本体の外壁面を構成する面として接続部（１０４）を有し、
前記接続部（１０４）は、凹部、凸部又は平面である
ことを特徴とする高い精度で角度が制御可能なラケットのグリップ構造（１）。
【請求項３】
高い精度で角度が制御可能なラケットのグリップ構造（１）であって、
前記ラケットのグリップ構造（１）の本体（１０）の外壁面は、
当該本体の外壁面の一つの面を構成する面としての第１の接触部（１００）と、
前記第１の接触部（１００）と対をなすように前記第１の接触部（１００）の対向面として構成された第２の接触部（１０１）と、
当該本体の外壁面において前記第１の接触部（１００）と前記第２の接触部（１０１）との間に位置し、当該本体の外壁面の一つの面を構成する面としての第３の接触部（１０２）と、
前記第３の接触部（１０２）と対をなすように前記第３の接触部（１０２）の対向面として構成された第４の接触部（１０４）と、を有し、
前記第１の接触部（１００）及び前記第２の接触部（１０１）は、弧面又は平面である
ことを特徴とする高い精度で角度が制御可能なラケットのグリップ構造（１）。
【請求項４】
高い精度で角度が制御可能なラケットのグリップ構造（１）であって、
前記ラケットのグリップ構造（１）の本体（１０）の外壁面は、
当該本体の外壁面の一つの面を構成する面としての第１の接触部（１００）と、
前記第１の接触部（１００）と対をなすように前記第１の接触部（１００）の対向面として構成された第２の接触部（１０１）と、
当該本体の外壁面において前記第１の接触部（１００）と前記第２の接触部（１０１）との間に位置し、当該本体の外壁面の一つの面を構成する面としての第３の接触部（１０２）と、
前記第３の接触部（１０２）と対をなすように前記第３の接触部（１０２）の対向面として構成された第４の接触部（１０４）と、を有し、
前記第３の接触部（１０２）及び前記第４の接触部（１０３）は、弧面又は平面である
ことを特徴とする高い精度で角度が制御可能なラケットのグリップ構造（１）。
【請求項５】
請求項１から請求項４のいずれかに記載の高い精度で角度が制御可能なラケットのグリップ構造（１）において、
前記第１の接触部（１００）及び前記第２の接触部（１０１）の幅は０．９ｃｍ以下である
ことを特徴とする高い精度で角度が制御可能なラケットのグリップ構造（１）。
【請求項６】
請求項１から請求項５のいずれかに記載の高い精度で角度が制御可能なラケットのグリップ構造（１）において、
前記第３の接触部（１０２）及び前記第４の接触部（１０３）の幅は０．９ｃｍ以下である
ことを特徴とする高い精度で角度が制御可能なラケットのグリップ構造（１）。
【請求項７】
請求項１から請求項６のいずれかに記載の高い精度で角度が制御可能なラケットのグリップ構造（１）において、
前記第１の接触部（１００）及び前記第２の接触部（１０１）には、前記本体（１０）の長手方向で単一又は複数の突出構造が形成されている
ことを特徴とする高い精度で角度が制御可能なラケットのグリップ構造（１）。
【請求項８】
請求項１から請求項７のいずれかに記載の高い精度で角度が制御可能なラケットのグリップ構造（１）において、
前記第３の接触部（１０２）及び前記第４の接触部（１０３）には、前記本体（１０）の長手方向で単一又は複数の突出構造が形成されている
ことを特徴とする高い精度で角度が制御可能なラケットのグリップ構造（１）。